(57)【要約】【課題】非発光領域が目立ちにくくなるとともに発光量が大きく、外観に優れ、照明性能が高く、製造が容易な面状発光装置を形成する有機エレクトロルミネッセンス素子を提供する。【解決手段】有機エレクトロルミネッセンス素子は、透光性基板１に、第１電極７と有機発光層８と第２電極９とを有する有機発光体１０が形成されたものである。有機発光体１０は、透明な封止基板２によって覆われて封止されている。発光領域の平面視における形状は多角形である。電極端子３が設けられた不透明端部４ａと、電極端子３が設けられていない透明端部４ｂとを有している。端部４に、他の有機エレクトロルミネッセンス素子の端部４を重ねるための段部５が設けられている。段部５は、不透明端部４ａにおいて段状に凹んだ基板段部５ａ、及び、透明端部４ｂにおいて段状に凹んだ封止段部５ｂにより構成されている。【選択図】図１
2014017204.tif 000002
【特許請求の範囲】
【請求項１】
透光性基板に、透光性の第１電極と有機発光層と光反射性の第２電極とをこの順で有する有機発光体が形成され、前記有機発光体は、前記透光性基板に接着される透明な封止基板によって覆われて封止されている有機エレクトロルミネッセンス素子であって、
当該有機エレクトロルミネッセンス素子の発光領域の平面視における形状は多角形であり、この多角形を構成する複数の辺に位置する複数の端部は、前記有機発光層に電気を供給するための電極端子が設けられた不透明な不透明端部と、前記電極端子が設けられていない透明な透明端部とを有し、
前記複数の端部のうちの一以上の端部に、他の有機エレクトロルミネッセンス素子の端部を重ねるための段部が設けられており、
前記段部は、前記不透明端部における前記透光性基板の素子外部側の面が段状に凹んだ基板段部、及び、前記透明端部における前記封止基板の素子外部側の面が段状に凹んだ封止段部、の少なくとも一方により構成されていることを特徴とする有機エレクトロルミネッセンス素子。
【請求項２】
前記基板段部及び前記封止段部の両方が設けられていることを特徴とする請求項１に記載の有機エレクトロルミネッセンス素子。
【請求項３】
前記段部は、他の有機エレクトロルミネッセンス素子を重ねたときに、隣り合う有機エレクトロルミネッセンス素子の前記発光領域が、平面視において離間しないような幅で設けられていることを特徴とする請求項１又は２に記載の有機エレクトロルミネッセンス素子。
【請求項４】
前記複数の端部における前記段部が設けられた側とは反対側の面に、この端部の端縁に沿って端部が傾斜面となった傾斜部が設けられ、
前記傾斜部は、前記不透明端部における前記封止基板の素子外部側の面の端部が傾斜した封止傾斜部、及び、前記透明端部における前記透光性基板の素子外部側の面の端部が傾斜した基板傾斜部、の少なくとも一方により構成されていることを特徴とする請求項１〜３のいずれか１項に記載の有機エレクトロルミネッセンス素子。
【請求項５】
前記発光領域の平面視形状が四角形又は六角形であることを特徴とする請求項１〜４のいずれか１項に記載の有機エレクトロルミネッセンス素子。
【請求項６】
請求項１〜５のいずれか１項に記載の有機エレクトロルミネッセンス素子が、複数個、前記段部が設けられた端部を重ねて配設され、隣り合う前記有機エレクトロルミネッセンス素子の発光領域が、平面視において離間せずに配置されていることを特徴とする面状発光装置。
【請求項７】
前記有機エレクトロルミネッセンス素子が同一面において二以上で重ねられて面状に配設されていることを特徴とする請求項６に記載の面状発光装置。
【請求項８】
前記有機エレクトロルミネッセンス素子が帯状に配設されていることを特徴とする請求項６に記載の面状発光装置。
【請求項９】
当該面状発光装置は、略同一形状の複数の第１の有機エレクトロルミネッセンス素子が端部を重ねて配設されるとともに、当該面状発光装置の端部に、前記第１の有機エレクトロルミネッセンス素子とは異なる形状の第２の有機エレクトロルミネッセンス素子が、第１の有機エレクトロルミネッセンス素子に端部を重ねて配設されていることを特徴とする請求項６〜８のいずれか１項に記載の面状発光装置。
【発明の詳細な説明】
【技術分野】
【０００１】
本発明は、有機エレクトロルミネッセンス素子、及び、有機エレクトロルミネッセンス素子を用いた面状発光装置に関する。
【背景技術】
【０００２】
近年、有機エレクトロルミネセンス素子（以下「有機ＥＬ素子」ともいう）が照明パネルなどの用途に応用されている。有機ＥＬ素子としては、透光性の第１電極（陽極）と、発光層を含む複数の層により構成される有機層と、第２電極（陰極）とが、この順で透光性基板の表面に積層形成されたものが知られている。有機ＥＬ素子では、陽極と陰極の間に電圧を印加することによって、発光層で発した光が透光性の電極及び基板を通して外部に取り出される。
【０００３】
有機ＥＬ素子においては、より広い発光面を得るために、複数の有機ＥＬ素子を面状に配設して面状発光装置（照明パネル）を形成することが知られている（例えば特許文献１参照）。複数の有機ＥＬ素子を用いることにより発光面を大きくすることができ、また、発光量を増大させることができる。
【先行技術文献】
【特許文献】
【０００４】
【特許文献１】特開２００９−１３９４６３号公報
【発明の概要】
【発明が解決しようとする課題】
【０００５】
図１１は、従来の面状発光装置の一例を示している。この面状発光装置は、複数の有機ＥＬ素子Ａが、縦横の方向に敷き詰めるように並べられて面状に配設されたものである。有機ＥＬ素子Ａは、透光性基板１の表面に有機発光体１０が形成されたものであり、この有機発光体１０は、透光性基板１に接着された封止基板２によって覆われて封止されている。図１１（ａ）は、面状発光装置の断面図を示し、図１１（ｂ）は、発光面に垂直な方向から見た面状発光装置が発光する様子を示している。図１１（ａ）では、白抜き矢印が、光が取り出される方向となる。
【０００６】
有機発光体１０は発光層が一対の電極（陽極及び陰極）に挟まれて構成されたものであり、平面視（発光面に垂直な方向から見た場合）において有機発光体１０が形成されている領域が発光領域Ｐとなる。図１１の形態では、複数の有機ＥＬ素子Ａを面状に配設することにより、全体の発光面積を大きくすることができる。
【０００７】
しかしながら、図１１（ｂ）に示すように、有機ＥＬ素子Ａは、封止構造上、外周部に非発光の領域が形成されるものであり、面状発光装置においては、隣り合う有機ＥＬ素子Ａの発光領域Ｐが離間して、有機ＥＬ素子Ａの境界部分に非発光領域Ｘが形成される。この非発光領域Ｘの幅は一つの素子につき封止構造上２ｍｍ以上にもなるものである。非発光領域Ｘが形成されると、面状発光装置全体の発光量が低下するとともに、有機ＥＬ素子の境界部分が筋状に非発光となってしまうため、非発光の格子模様などが生じるなどして照明性能が低下してしまう。
【０００８】
また、有機ＥＬ素子Ａでは、有機発光体１０に電気を供給するために、通常、各電極を有機ＥＬ素子Ａの端部に引き出し、この引き出された部分（引き出し電極部）に電極端子３を設け、この電極端子３に電気を供給することが行われている。電極端子３は、透光性基板１表面における封止基板２よりもはみ出した封止外領域に設けられるものである。この電極端子３は、通常、金属層などによって構成される不透明な層である。図１１（ｂ）では、電極端子３が設けられた不透明な部分を斜線領域で示している。電極端子３を設ける部分は、外部電源と接続して電気を供給しやすくするように、所定の面積を確保する必要がある。そのため、電極端子３によって非発光の領域が大きくなってしまうおそれがあり、非発光領域Ｘがさらに目立ちやすくなってしまう。
【０００９】
ここで、非発光領域Ｘを小さくするために、複数の有機ＥＬ素子Ａを端部を重ねて配設して面状発光装置を形成することが考えられる。特許文献１では、複数の有機ＥＬ素子を端部を重ねて配設することによって非発光の領域を小さくしようとしている。
【００１０】
図１０（ａ）は、複数の有機ＥＬ素子Ａを端部４を重ねて配設した面状発光装置の一例（参考例）であり、図１０（ｂ）は、図１０（ａ）の面状発光装置に用いる有機ＥＬ素子Ａの発光状態を示す一例である。図１０（ｂ）の有機ＥＬ素子Ａは、発光領域Ｐの平面視における形状は四角形である。この四角形を構成する四つの辺に位置する四つの端部４は、有機発光体１０に電気を供給するための電極端子３が設けられた不透明な不透明端部４ａと、電極端子３が設けられていない透明な透明端部４ｂとを有して構成されている。図１０（ｂ）では、不透明端部４ａを斜線で示している。図１０（ａ）の面状発光装置では、不透明端部４ａは、有機ＥＬ素子Ａを縦横に並べて面状に配設したときに発光領域の後方に隠れるように配置されている。そして、図１０（ａ）に示すように、不透明端部４ａの光取り出し側に他の有機ＥＬ素子Ａの透明端部４ｂを重ね、隣り合う有機ＥＬ素子Ａの発光領域Ｐの隙間が小さくなるようにして、複数の有機ＥＬ素子Ａが端部４を重ねて配設されている。また、透明端部４ｂ同士においても、端部４を重ね合わせることにより、発光領域Ｐの隙間を小さくすることができる。
【００１１】
図１０の形態では、有機ＥＬ素子Ａの端部４を重ね合わせているため、隣り合う有機ＥＬ素子Ａの発光領域Ｐの離間距離を小さくしたり、失くしたりすることができる。そのため、筋状の非発光の領域を目立たなくし、あるいは消失させて、照明性能を高めることができる。しかしながら、この方法では非発光の領域を小さくするために端部４の重ね幅を大きくすると、端部４の重ね合わせによって面状発光装置の表面には大きな凹凸が形成されてしまい、また、重なり部分の厚みも厚くなってしまう。そのため、外観形状が悪化するとともに、この凹凸や重なり部分によって照明性能を低下させるおそれがある。また、複数の有機ＥＬ素子Ａを重ね合わせる際に、重ね合せ幅を一定にして配設することは容易ではなく、有機ＥＬ素子Ａのタイリングによる面状発光装置の作製が難しくなるおそれがある。
【００１２】
本発明の目的とするところは、面状発光装置を形成した際に、非発光領域が目立ちにくくなるとともに発光量を大きくすることができ、外観に優れ、照明性能が高く、製造が容易な有機エレクトロルミネッセンス素子を提供することにある。また、非発光領域が目立ちにくくなるとともに発光量が大きく、外観に優れ、照明性能が高く、製造が容易な面状発光装置を提供することにある。
【課題を解決するための手段】
【００１３】
本発明に係る有機エレクトロルミネッセンス素子は、透光性基板に、透光性の第１電極と有機発光層と光反射性の第２電極とをこの順で有する有機発光体が形成され、前記有機発光体は、前記透光性基板に接着される透明な封止基板によって覆われて封止されている有機エレクトロルミネッセンス素子であって、当該有機エレクトロルミネッセンス素子の発光領域の平面視における形状は多角形であり、この多角形を構成する複数の辺に位置する複数の端部は、前記有機発光層に電気を供給するための電極端子が設けられた不透明な不透明端部と、前記電極端子が設けられていない透明な透明端部とを有し、前記複数の端部のうちの一以上の端部に、他の有機エレクトロルミネッセンス素子の端部を重ねるための段部が設けられており、前記段部は、前記不透明端部における前記透光性基板の素子外部側の面が段状に凹んだ基板段部、及び、前記透明端部における前記封止基板の素子外部側の面が段状に凹んだ封止段部、の少なくとも一方により構成されていることを特徴とするものである。
【００１４】
上記構成の有機エレクトロルミネッセンス素子では、前記基板段部及び前記封止段部の両方が設けられていることが好ましい。
【００１５】
上記構成の有機エレクトロルミネッセンス素子では、前記段部は、他の有機エレクトロルミネッセンス素子を重ねたときに、隣り合う有機エレクトロルミネッセンス素子の前記発光領域が、平面視において離間しないような幅で設けられていることが好ましい。
【００１６】
上記構成の有機エレクトロルミネッセンス素子では、前記複数の端部における前記段部が設けられた側とは反対側の面に、この端部の端縁に沿って端部が傾斜面となった傾斜部が設けられ、前記傾斜部は、前記不透明端部における前記封止基板の素子外部側の面の端部が傾斜した封止傾斜部、及び、前記透明端部における前記透光性基板の素子外部側の面の端部が傾斜した基板傾斜部、の少なくとも一方により構成されていることが好ましい一態様である。
【００１７】
上記構成の有機エレクトロルミネッセンス素子では、前記発光領域の平面視形状が四角形又は六角形であることが好ましい。
【００１８】
本発明に係る面状発光装置は、上記構成の有機エレクトロルミネッセンス素子が、複数個、前記段部が設けられた端部を重ねて配設され、隣り合う前記有機エレクトロルミネッセンス素子の発光領域が、平面視において離間せずに配置されていることを特徴とするものである。
【００１９】
上記構成の面状発光装置では、前記有機エレクトロルミネッセンス素子が同一面において二以上で重ねられて面状に配設されていることが好ましい一態様である。
【００２０】
上記構成の面状発光装置では、前記有機エレクトロルミネッセンス素子が帯状に配設されていることが好ましい一態様である。
【００２１】
上記構成の面状発光装置では、当該面状発光装置は、略同一形状の複数の第１の有機エレクトロルミネッセンス素子が端部を重ねて配設されるとともに、当該面状発光装置の端部に、前記第１の有機エレクトロルミネッセンス素子とは異なる形状の第２の有機エレクトロルミネッセンス素子が、第１の有機エレクトロルミネッセンス素子に端部を重ねて配設されていることが好ましい一態様である。
【発明の効果】
【００２２】
本発明によれば、有機エレクトロルミネッセンス素子の端部を重ねるための段部が設けられていることにより、非発光領域が目立ちにくくなるとともに発光量が大きく、外観に優れ、照明性能が高く、製造が容易な面状発光装置を得ることができる。
【図面の簡単な説明】
【００２３】
【図１】面状発光装置の実施形態の一例を示し、（ａ）は断面図、（ｂ）は平面図である。
【図２】有機エレクトロルミネッセンス素子の実施形態の一例を示し、（ａ）は断面図、（ｂ）は分解斜視図、（ｃ）は非発光時の平面図、（ｄ）は発光時の平面図である。
【図３】（ａ）〜（ｃ）は、面状発光装置の形態の一例を示す拡大断面図である。
【図４】面状発光装置の実施形態の一例を示す断面図である。
【図５】面状発光装置の実施形態の一例を示す断面図である。
【図６】面状発光装置の実施形態の一例を示す断面図である。
【図７】（ａ）は面状発光装置の実施形態の一例を示す平面図、（ｂ）は有機エレクトロルミネッセンス素子の実施形態の一例を示す平面図である。
【図８】面状発光装置の実施形態の一例を示す平面図である。
【図９】（ａ）は有機エレクトロルミネッセンス素子の実施形態の一例を示す平面図であり、（ｂ）及び（ｃ）は面状発光装置の実施形態の一例を示し、（ｂ）は平面図、（ｃ）は断面図である。
【図１０】（ａ）は面状発光装置の参考例を示す断面図、（ｂ）は有機エレクトロルミネッセンス素子の参考例を示す平面図である。
【図１１】従来の面状発光装置の一例を示し、（ａ）は断面図、（ｂ）は平面図である。
【発明を実施するための形態】
【００２４】
図１は、有機エレクトロルミネッセンス素子Ａ（有機ＥＬ素子Ａ）を複数配設した面状発光装置の実施形態の一例であり、図２は、図１の面状発光装置を構成する有機ＥＬ素子Ａの実施形態の一例である。図１（ａ）及び図２（ａ）では、光が取り出される方向を白抜き矢印で示している。
【００２５】
図２に示すように、有機ＥＬ素子Ａは、透光性基板１に、透光性の第１電極７と有機発光層８と光反射性の第２電極９とをこの順で有する有機発光体１０が形成されたものである。有機発光体１０は、透光性基板１に接着される透明な封止基板２によって覆われて封止されている。有機ＥＬ素子Ａの発光領域Ｐの平面視における形状は多角形であり、本形態では四角形となっている。この多角形（四角形）を構成する複数の辺に位置する複数の端部４は、有機発光層８に電気を供給するための電極端子３が設けられた不透明な不透明端部４ａと、電極端子３が設けられていない透明な透明端部４ｂとを有して構成されている。複数の端部４のうちの一以上の端部４に、他の有機ＥＬ素子Ａの端部を重ねるための段部５が設けられている。段部５は、不透明端部４ａにおける透光性基板１の素子外部側の面が段状に凹んだ基板段部５ａ、及び、透明端部４ｂにおける封止基板２の素子外部側の面が段状に凹んだ封止段部５ｂ、により構成されている。図１（ａ）に示すように、面状発光装置においては、複数の有機ＥＬ素子Ａは、段部５に他の有機ＥＬ素子の端部４が重ねられて配設されている。このように、有機ＥＬ素子Ａの端部４を重ねるための段部５が設けられていることにより、非発光領域が目立ちにくくなるとともに発光量が大きく、外観に優れ、照明性能が高く、製造が容易な面状発光装置を得ることができる。以下、さらに本実施形態を説明する。
【００２６】
透光性基板１は、光透過性を有する透明な基板であり、ガラス基板や透明樹脂基板などを用いることができる。透光性基板１をガラス基板で構成した場合、ガラスは水分の透過性が低いので、封止領域の内部に水分が浸入することを抑制することができる。透光性基板１の表面における第１電極７との界面には、光取り出し層が設けられていてもよい。光取り出し層が設けられることにより、光取り出し性を高めることができる。光取り出し層は、ガラスよりも屈折率の高い樹脂層や、光散乱粒子を含む樹脂層や、高屈折率ガラスなどによって形成することができる。本形態では、透光性基板１は、矩形状のものが用いられている。それにより、有機ＥＬ素子Ａは平面視において矩形状の素子になっている。
【００２７】
図２（ｂ）に示すように、有機発光体１０は、第１電極７、有機発光層８及び第２電極９の積層体である。有機発光体１０の設けられる領域は、平面視（基板表面に垂直な方向から見た場合）において、透光性基板１の中央部の領域である。有機ＥＬ素子Ａでは、平面視における有機発光体１０が設けられた領域が発光領域Ｐとなる。なお、図１（ａ）及び図２（ａ）では、有機発光体１０の積層構造を省略して記載しているが、有機発光体１０は、透光性基板１側から順に、第１電極７、有機発光層８及び第２電極９が積層されたものであってよい。
【００２８】
第１電極７及び第２電極９は、互いに対となる電極であり、一方が陽極を構成し、他方が陰極を構成する。本形態では、第１電極７により陽極を構成し、第２電極９により陰極を構成することができるが、その逆であってもよい。第１電極７は、光透過性を有する透明な電極であり、光取り出し側の電極となる。第１電極７は、透明な導電層によって構成することができる。導電層の材料としては、ＩＴＯ、ＩＺＯなどが例示される。また、第２電極９は光反射性を有する電極である。光反射性を有することにより、第２電極９側に向って発せられる発光層からの光を、第２電極９で反射させて透光性基板１側から取り出すことができる。第２電極９は、例えば、ＡｌやＡｇなどにより形成することができる。第１電極７及び第２電極９の膜厚は、特に限定されるものではないが、例えば、１０〜３００ｎｍ程度にすることができる。
【００２９】
有機発光層８は、発光を生じさせる機能を有する層であり、ホール注入層、ホール輸送層、発光層（発光材料を含有する層）、電子輸送層、電子注入層、中間層などから適宜選ばれる複数の機能層によって構成されるものである。有機発光層８の厚みは、特に限定されえるものではないが、例えば、６０〜３００ｎｍ程度にすることができる。
【００３０】
封止基板２は、光透過性を有する透明な封止用の基板であり、ガラス基板や透明樹脂基板などを用いることができる。封止基板２としては、ガラス基板を用いることが好ましい。ガラス基板を用いることにより、水分が浸入するのを抑制することができる。また、封止基板２として、有機発光体１０を収納する収納凹部が表面に設けられた封止基板２を用いることができる。いわゆるキャップ状の封止材である。収納凹部を設けた封止基板２を用いることにより、有機発光体１０を密封性よく封止することができる。また、封止基板２として、収納凹部が設けられていない平板状のものを用いてもよい。平板状の封止基板２を用いる場合、樹脂などで有機発光体１０を収納するスペースを外周部に形成することができる。平板状の封止基板２を用いる場合、収納凹部を形成することなく簡単に封止基板２を得ることが可能である。
【００３１】
封止基板２は、接着材料によって透光性基板１に接着されている。図２（ｂ）では、封止基板２が接着する領域の外縁を二点破線で示している。接着材料としては、例えば、樹脂性の接着材料を用いることができる。樹脂性の接着材料は、防湿性を有しているものが好ましい。例えば、乾燥剤を含有することにより防湿性を高めることができる。樹脂性の接着材料は、熱硬化性樹脂や紫外線硬化樹脂などを主成分とするものであってもよい。接着材料としては透明なものを用いることが好ましい。透明な接着材料を用いた透明シールによって封止基板２を接着することにより、光が透過可能なように端部４を透明にして封止することができる。ただし、光が透過可能であれば、接着材料は少し曇りがかった色のものであってもよい。
【００３２】
封止基板２は、有機発光体１０の外周を取り囲む領域で透光性基板１に接着することができる。それにより、透光性基板１と封止基板２とを外周に亘って接着し、有機発光体１０を密封性高く封止して外部から遮断することができる。有機発光体１０の封止によって、収納凹部の空間には封止間隙１１が設けられていてもよい。有機ＥＬ素子Ａでは、この封止間隙１１に充填剤を充填して充填密封構造にしてもよいし、封止間隙１１を空洞となった封止空間にして中空構造にしてもよい。封止間隙１１を封止空間にする場合には、封止空間に吸湿材を設けることができる。それにより、封止空間に水分が浸入したとしても、浸入した水分を吸収することができる。また、封止間隙１１を充填剤で充填する場合には、乾燥剤を含んだ充填剤を用いることができる。それにより、素子内部に水分が浸入したとしても、浸入した水分を吸収することができる。防湿のための封止構造上、有機発光体１０は、封止基板２の外縁よりも２ｍｍ以上内側に形成されることが好ましい。ただし、有機発光体１０の外縁が内側に配置されすぎると、非発光の領域が大きくなってしまうため、有機発光体１０の外縁は、例えば、封止基板２の外縁から１０ｍｍ以内の位置であってよい。
【００３３】
有機ＥＬ素子では、第１電極７と第２電極９とに電圧を印加し、有機発光層８（発光材料含有層）において正孔と電子を結合させて発光を生じさせる。そのため、第１電極７及び第２電極９のそれぞれと導通する電極を基板端部に引き出して設ける必要がある。引き出された電極は、外部電極と電気的に接続するための端子である電極端子３と導通するものとなる。本形態では、透光性基板１の表面における第１電極７及び第２電極９から引き出された部分の表面に電極端子３を設け、この電極端子３から有機発光層８に電圧を印加できるようにしている。
【００３４】
電極端子３は、透光性基板１の端部表面（封止基板２側の面）に形成されている。電極端子３は、第１電極７と導通する端子と、第２電極９と導通する端子とによって構成されている。本形態では、電極端子３は、第１電極７を構成する導電層の表面に形成されている。
【００３５】
第１電極７と導通する電極端子３は、第１電極７を構成する導電層が透光性基板１の端部側に分断されずに引き出され外側に向かって延出された部分の表面に形成されている。すなわち、第１電極７を構成する導電層は、第１電極７と導通する電極端子３が設けられる基板端部では封止基板２からはみ出して透光性基板１の端縁にまで形成されている。第１電極７の引き出し部分が封止領域よりも外側にまで延出されることにより、封止領域の外部と素子内部とを電気的に接続させることが可能になる。
【００３６】
また、本形態では、第２電極と導通する電極端子３は、第１電極７を形成するための導電層の一部が第１電極７から分離されるとともに、透光性基板１の端部側に引き出され外側に向かって延出された部分の表面に形成されている。すなわち、第２電極９の引き出し部分を構成する導電層は、第１電極７を構成する導電層が第１電極７から分離されるとともに、封止基板２からはみ出して透光性基板１の端縁にまで形成されている。第２電極９の引き出し部分が封止領域よりも外側にまで延出されることにより、封止領域の外部と素子内部とを電気的に接続させることが可能になる。第２電極９と導通する電極端子３が形成されている導電層は、素子の内部において、積層された第２電極９と接触しており、それによりこの電極端子３と第２電極９とが導通する構造となっている。
【００３７】
電極端子３は、適宜の金属材料により形成することができる。例えば、Ａｇ、Ｃｕ、Ａｕ、Ａｌなどを用いることができる。また、合金層や、金属の複層構造で電極端子３を構成してもよい。
【００３８】
本形態の有機ＥＬ素子Ａでは、発光領域Ｐの平面視における形状は四角形である。この四角形は矩形状であることが好ましい。発光領域Ｐが矩形状になることにより、複数の有機ＥＬ素子Ａを配設する際に、発光領域Ｐを簡単に隙間なく配置することが容易になる。発光領域Ｐの形状は、長方形であることが好ましく、正方形であることも好ましい。図１（ｂ）、図２（ｃ）及び図２（ｄ）では、発光領域Ｐを破線で示している。
【００３９】
有機ＥＬ素子Ａでは、四角形の発光領域Ｐの周囲には、この四角形を構成する四つの辺に対応する位置に、四つの端部４が配置されている。有機ＥＬ素子Ａの端部４は、有機発光層８に電気を供給するための電極端子３が設けられた端部４と、電極端子３が設けられていない端部４との二種類の端部４で構成されている。電極端子３が設けられた端部４は、電極端子３の形成により不透明となっており、不透明端部４ａを構成している。すなわち、発光面に垂直な方向から有機ＥＬ素子Ａを見た場合に、不透明端部４ａの部分は電極端子３によって光が遮られて反対側が見えない状態となる。電極端子３は、金属層で形成された場合、金属色を呈するが、不透明端部４ａでは、その金属色が視認されてもよい。また、電極端子３が設けられていない端部４は、透光性基板１と封止基板２とが積層した部分であり、有機発光体１０も存在していないため、有機ＥＬ素子Ａの反対側を見ることが可能な透明端部４ｂを構成している。
【００４０】
本形態では、四角形の有機ＥＬ素子Ａの四つの端部４は、二つの不透明端部４ａと、二つの透明端部４ｂとで構成されている。不透明端部４ａは四角形の隣り合う二辺に配置されており、また、透明端部４ｂは四角形の隣り合う二辺に配置されている。不透明端部４ａ及び透明端部４ｂがこのように配置されることにより、発光領域Ｐの隙間を小さくして複数の有機ＥＬ素子Ａを配設することがより可能になる。
【００４１】
図２（ｃ）は、有機ＥＬ素子Ａの非発光時の様子を示し、図２（ｄ）は、有機ＥＬ素子Ａの発光時の様子を示している。図２（ｃ）及び（ｄ）では、発光面に垂直な方向に発光面側から見た有機ＥＬ素子Ａの様子を示している。本形態の有機ＥＬ素子Ａでは、有機発光体１０が積層形成されて発光する領域、すなわち、発光領域Ｐは、光反射性の第２電極９が積層されているために、非発光時には有機ＥＬ素子Ａの反対側を視認することができない不透明な部分になる。すなわち、第２電極９は、光反射性の電極であり、光を透過させないものであるため、この光反射性の第２電極９によって光が遮られて有機ＥＬ素子Ａの反対側が視認できなくなり、有機発光体１０が形成された部分は不透明となる。また、不透明端部４ａは、電極端子３が形成されていることにより不透明な非発光の端部４となっている。そのため、図２（ｃ）で示すように、非発光時においては、発光領域Ｐ及び不透明端部４ａは、斜線で示される不透明な領域となる。また、透明端部４ｂは、有機発光体１０及び電極端子３が形成されていないため、透明な領域となる。そして、図２（ｄ）で示すように、発光時においては、発光領域Ｐが光って光が面状に取り出される。そのため、不透明端部４ａは、斜線領域で示すように、不透明な非発光の端部４となって視認される。また、透明端部４ｂは、電極端子３が形成されておらず、透明な基板が重なった領域であり、透明な非発光の端部４となって視認される。
【００４２】
そして、本形態の有機ＥＬ素子Ａにおいては、端部４に段部５が設けられている。図１（ａ）に示すように、段部５は、他の有機ＥＬ素子Ａの端部４を重ねるためのものである。段部５の部分を重ねて複数の有機ＥＬ素子Ａを配設することにより、面状発光装置の表面の凹凸を小さくして厚みを薄くすることができ、また、有機ＥＬ素子Ａを重ねやすくすることができる。段部５は有機ＥＬ素子Ａの外縁に沿った形状で凹ませて設けられるものであってよい。本形態では、有機ＥＬ素子Ａの外縁に沿って直線状の段部５が設けられている。
【００４３】
図２（ａ）及び（ｂ）に示すように、不透明端部４ａにおいては、透光性基板１の素子外部側の面（封止基板２とは反対側の面）が、基板端部を切り欠くような形状で段状に凹んで、基板段部５ａが設けられている。基板段部５ａの側面（基板表面と略垂直な面）の位置は、封止基板２の接着部分よりも内側であることが好ましく、発光領域Ｐ（有機発光体１０）の外縁よりも内側であることがより好ましい。基板段部５ａの側面がより内側に位置することにより、発光領域Ｐの隙間を小さくすることができる。また、透明端部４ｂにおいては、封止基板２の素子外部側の面（透光性基板１とは反対側の面）が、基板端部を切り欠くような形状で段状に凹んで、封止段部５ｂが設けられている。封止段部５ｂの側面（基板表面と略垂直な面）の位置は、発光領域Ｐ（有機発光体１０）の外縁よりも内側であることが好ましい。封止段部５ｂの側面がより内側に位置することにより、発光領域Ｐの隙間を小さくすることができる。図１（ｂ）、図２（ｃ）及び図２（ｄ）では、封止段部５ｂの側面の位置（本形態の面状発光装置では不透明端部４ａの端縁の位置と等しい）を二点破線で示している。
【００４４】
図１に示すように、面状発光装置では、端部４が重ねられて複数の有機ＥＬ素子Ａが面状に配設される。このとき、図１（ａ）に示すように、端部４には段部５が設けられているために、この段部５に有機ＥＬ素子Ａを嵌め込んで配設することができる。このように、段部５が設けられていると、複数の有機ＥＬ素子Ａを面状に並べて設置する際に、段部５を噛み合わせて有機ＥＬ素子Ａを配設することができ、重ね合わせの寸法幅の調整が容易になり、精度よく簡単に有機ＥＬ素子Ａの端部４を重ねることができる。
【００４５】
本形態の有機ＥＬ素子Ａでは、基板段部５ａと封止段部５ｂの両方が設けられている。それにより、基板段部５ａと封止段部５ｂとを重ねて隣り合う有機ＥＬ素子Ａを配設することができ、容易に有機ＥＬ素子Ａの端部４を重ねて面状発光装置を形成することができる。このとき、基板段部５ａが形成されて発光面側が凹んだ有機ＥＬ素子Ａの端部４に、封止段部５ｂが形成されて発光面とは反対側の面が凹んだ有機ＥＬ素子Ａの端部４を重ねて嵌め込むことにより、有機ＥＬ素子Ａのタイリングが容易になる。また、有機ＥＬ素子Ａを二つの段部５の位置で重ねることができるので、面状発光装置の表面の凹凸をより小さくすることができる。
【００４６】
図２（ａ）に示すように、段部５は所定の幅Ｗで設けられている。段部５の幅Ｗは端部４の端縁全長に亘って同じ幅寸法であってもよい。このとき、基板段部５ａの幅Ｗ１と封止段部５ｂの幅Ｗ２とは略同じ幅であることが好ましい。基板段部５ａと封止段部５ｂの幅寸法が略同じになることにより、重ね幅分の段部５を両側に設けて寸法よく段部５同士を噛み合わせることができる。また、封止段部５ｂの幅寸法が基板段部５ａよりもやや大きくてもよい。その場合、面状発光装置の光取り出し側の面で基板同士の隙間が形成されるのを抑制することができる。
【００４７】
段部５（基板段部５ａ及び封止段部５ｂ）の凹み寸法は、特に限定されるものではないが、基板強度を確保しながら凹凸を小さくするために、例えば、各基板（透光性基板１及び封止基板２）の厚みの０．１倍から０．５倍の範囲にすることができる。また、基板段部５ａの凹み寸法（段の深さ）と封止段部５ｂの凹み寸法（段の深さ）とは、異なっていてもよいし、同じであってもよい。
【００４８】
本形態の面状発光装置においては、不透明端部４ａの前方（光取り出し側）には、透明端部４ｂが配置されている。そして、好ましくは、電極端子３が形成された不透明端部４ａの前方に有機発光体１０が配置されている。不透明端部４ａの前方に有機発光体１０を配置することにより、発光面から見た場合に、不透明端部４ａを発光領域Ｐの後方に配置させることができ、非発光の領域を小さくすることができる。
【００４９】
面状発光装置においては、有機ＥＬ素子Ａが同一面において二以上で重ねられて面状に配設されていることが好ましい。本形態では、図１（ａ）及び（ｂ）に示すような端部４の重ね合わせを縦方向及び横方向に行って、有機ＥＬ素子Ａの上に、同一面において二以上の他の有機ＥＬ素子Ａが重ねられている。いわば、複数の有機ＥＬ素子Ａが、うろこ状に配設されている。本形態において、うろこ状とは、連続する略同形状の板状体が敷き詰めて並べられた場合に、ある板状体が、ある端部において他の板状体の上に配置されるとともに、他の端部において別の他の板状体の下に配置されるような形状であってよい。本形態の有機ＥＬ素子Ａは、電極端子３が形成された不透明端部４ａを隣り合う二辺に配置しているため、うろこ状に簡単に重ねて不透明端部４ａの前方に有機発光体１０を配置することができる。そして、図１の形態の面状発光装置を構成している一の有機ＥＬ素子Ａにおいては、不透明端部４ａの上に他の有機ＥＬ素子Ａの透明端部４ｂが重ねられており、また、透明端部４ｂが別の他の有機ＥＬ素子Ａの不透明端部４ａの上に重なっている。このため、うろこ状の配置となっている。なお、面状発光装置の端部に配置された有機ＥＬ素子Ａにおいては、もちろん、他の有機ＥＬ素子Ａが重なっていない端部４を有していてもよい。
【００５０】
図１（ｂ）は、光が取り出される方向から見た面状発光装置の発光状態の様子を示している。面状発光装置においては、複数の有機ＥＬ素子Ａが縦横の方向に面状に配設されており、発光領域Ｐが面状に並べられて、全体として面状の発光を得ることができる。そして、本形態の面状発光装置では、不透明端部４ａの前方に、有機発光体１０によって構成される発光領域Ｐが配置されているために、発光領域Ｐ間に形成される非発光の領域を小さくしたり、消失したりすることができるものである。図１（ｂ）では、隣り合う有機ＥＬ素子Ａにおける各発光領域Ｐが切れ目なく配設されている。すなわち、図１（ｂ）では不透明端部４ａにより形成される不透明部分を斜線領域で示しているが、有機ＥＬ素子Ａが敷き詰められた部分では、不透明端部４ａは、前方に透明端部４ｂが重ねられて有機発光体１０が配置しているため、発光領域Ｐの後方に隠れている。そして、隣り合う有機ＥＬ素子Ａにおいては、有機発光体１０同士が平面視において隙間なく配置され、発光領域Ｐが切れ目なく敷き詰められている。そのため、発光した際には、複数の有機ＥＬ素子Ａの発光領域Ｐは連続したものとなり、全体として一体化した面状の発光を得やすくすることができる。したがって、非発光の領域を減らすことができ、照明性能の高い面状発光装置を形成することができる。
【００５１】
段部５は、本形態のように、他の有機ＥＬ素子Ａを重ねたときに、隣り合う有機ＥＬ素子の発光領域Ｐが、平面視において離間しないような幅で設けられていることが好ましいものである。それにより、発光領域Ｐを切れ目なく連続させて配置することができ、非発光の領域のない一体化された面状の発光を得やすくすることができる。
【００５２】
図３は、有機ＥＬ素子Ａの端部４の重なりを説明するものである。面状発光装置においては、有機ＥＬ素子Ａが、複数個、段部５が設けられた端部４を重ねて配設された場合に、隣り合う有機ＥＬ素子Ａの発光領域Ｐが、平面視において離間せずに配置されていることが好ましいものである。それにより、切れ目のない一体化された面状の発光を得やすくすることができる。また、面内の発光割合を増加させることができる。
【００５３】
図３（ａ）の形態では、隣り合う有機ＥＬ素子Ａの有機発光体１０の間には平面視において離間した離間領域Ｓ１が形成されている。この離間領域Ｓ１は、発光させたときに、発光領域Ｐの隙間の非発光の領域になる。このように離間領域Ｓ１が形成されると、離間領域Ｓ１によって非発光の部分が形成されるために一体化した面状の発光が得られにくくなる。
【００５４】
一方、図３（ｂ）の形態においては、隣り合う有機ＥＬ素子Ａでは、有機発光体１０の外縁の位置が平面視において同じ位置になっており、有機発光体１０の間には離間領域が形成されていない。そのため、発光させたときに、発光領域Ｐが連続して一体化した面状の発光を得やすくすることができる。
【００５５】
また、図３（ｃ）の形態においては、隣り合う有機ＥＬ素子Ａでは、有機発光体１０が平面視において重複しており、有機発光体１０の重複領域Ｓ２が形成されている。本形態でも、発光させたときに、発光領域Ｐが連続して一体化した面状の発光を得やすくすることができる。ただし、重複領域Ｓ２が大きいと、発光が無駄になるおそれがあるので、図３（ｂ）のように、隣り合う有機発光体１０の外縁（発光領域Ｐの外縁）が平面視においてほぼ同じ位置か、図３（ｃ）のように発光領域Ｐがやや重なるように配置することが好ましい。発光領域Ｐが重なる場合、重なり幅は、段部５の幅より小さいものであってよい。
【００５６】
ところで、図１（ｂ）のように、複数の有機ＥＬ素子Ａを面状に配設した場合、四角形（多角形）の角部においては有機ＥＬ素子Ａが三つ以上重なることがある。図１の形態では、面状発光装置の内部においては有機ＥＬ素子Ａの角部が四つ重なる部分が形成される。ここで、四角形の有機ＥＬ素子Ａでは、各端部４に対応した四つの辺によって四つの角部が形成される。図２（ｄ）で示されるように、四つの角部は、不透明端部４ａの辺と不透明端部４ａの辺とで構成される角部、透明端部４ｂの辺と透明端部４ｂの辺とで構成される角部、及び、不透明端部４ａの辺と透明端部４ｂの辺とで構成される二つの角部で構成される。そして、各角部には、端部４において延伸する段部５が形成されている。すなわち、不透明端部４ａの辺と不透明端部４ａの辺とで構成される角部には、基板段部５ａが形成されている。また、透明端部４ｂの辺と透明端部４ｂの辺とで構成される角部には封止端部５ｂが形成されている。また、不透明端部４ａの辺と透明端部４ｂの辺とで構成される角部には、基板端部５ａ及び封止端部５ｂの両方が形成されている。したがって、面状発光装置を形成する際に、有機ＥＬ素子４を角部で四つ重ねて配設したとしても、表面が盛り上がりすぎるようなことを抑制して、有機ＥＬ素子を配設することができるものである。なお、角部での盛り上がりをさらに抑制するために、角部における段部５の凹み寸法（段の深さ）を、角部以外の段部５の凹み寸法よりも大きくしてもよい。その際、角部で端部４が重ねられた厚みの合計が、角部以外で端部４が重ねられた厚みの合計と略等しくなるように、角部における段部５の凹み寸法が調整されていてもよい。
【００５７】
ここで、電極端子３は、発光領域Ｐの多角形の角部を跨いで連続して形成される部分以外の角部Ｃ１（電極端子３の端部）においては、発光領域Ｐの多角形における透明端部４ｂ側に配置される辺を延伸させた直線Ｌ１をはみ出さずに形成されていることが好ましい。これにより、角部Ｃ１において電極端子３が透明端部４ｂ側にはみ出して形成されなくなり、タイリングした際に電極端子３をより面状発光装置の背面（後面）に配置しやすくすることができ、非発光の部分を形成させにくくすることができる。この電極端子３の端部が配置される角部Ｃ１は、透明端部４ｂと不透明端部４ａとの境界部分に配置される角部Ｃ１であってよい。そして、この角部Ｃ１を透明にして透明端部４ｂで構成することが好ましいものである。また、透明端部４ｂと不透明端部４ａとの境界線（電極端子３の外縁）は、発光領域Ｐの多角形における透明端部４ｂ側に配置される辺を延伸させた直線Ｌ１上であることが好ましい。それにより、電極端子３をより大きくすることができ、通電性を高めることができる。
【００５８】
図２に示す有機ＥＬ素子Ａは、透光性基板１及び封止基板２に段部５を適宜の方法で設けることによって形成することができる。段部５は、有機発光体１０を積層形成する前の基板材料の状態のときに形成してもよいし、有機発光体１０を積層して封止した後に有機ＥＬ素子Ａを端部加工することにより形成してもよい。ただし、有機発光体１０にダメージを与えにくくするためには、基板材料の状態のときに段部５を形成することが好ましい。段部５は、例えば、エッチング液などによる化学的なエッチングや、研磨や粒子の噴き付けなどによる物理的なエッチングや、レーザや切断刃などによる物理的なカッティングなどによって形成することができる。あるいは、透光性基板１や封止基板２を構成する基板材料を熱により軟化させて加圧成形して段部５を形成してもよい。例えば、封止基板２においては、加熱プレス成形することにより、有機発光体１０を収納する収納凹部と封止段部５ｂとを同時に形成することが可能であり、効率よく段部５を形成することができる。なお、有機発光体１０の積層や封止は、通常の方法により行うことができる。
【００５９】
図１に示す面状発光装置は、図２に示すような有機ＥＬ素子Ａを、複数個、端部４を重ねて面状に敷き詰めるようにして配設することによって形成することができる。このとき、段部５を重ねることにより、端部４の重ね幅を容易に調節することができ、有機ＥＬ素子Ａのタイリングが容易になる。また、面状発光装置の形成にあたっては、隣り合う有機ＥＬ素子Ａの端部４を接着剤により接着して固定することが好ましい。それにより、複数の有機ＥＬ素子Ａが固着して一体化されるため、有機ＥＬ素子Ａが個別にずれたりすることのない一体化した面状発光装置を得ることができる。また、重ね合わせ部分において有機ＥＬ素子Ａの間に隙間が形成されたとしても、この隙間を接着剤で塞ぐことができるため、隙間のないパネル状の面状発光装置を得ることができる。光を透過させるためには、接着剤は透明なものが好ましい。
【００６０】
図４は、面状発光装置の実施形態の他の一例である。図１の形態と同じ構成については、同じ符号を付して説明を省略する。図４の形態の面状発光装置を構成する有機ＥＬ素子Ａでは、複数の端部４における段部５が設けられた側とは反対側の面に、この端部４の端縁に沿って端部４が傾斜面となった傾斜部６が設けられている。傾斜部６を設けることにより、面状発光装置の表面の凹凸をより小さくすることができる。
【００６１】
傾斜部６は、不透明端部４ａにおける封止基板２の素子外部側の面の端部４が傾斜した封止傾斜部６ａ、及び、透明端部４ｂにおける透光性基板１の素子外部側の面の端部４が傾斜した基板傾斜部６ｂ、の少なくとも一方により構成することができる。図４の形態では、封止傾斜部６ａ及び基板傾斜部６ｂの両方が形成されている。それにより、面状発光装置の光取り出し側の面（前面）と、面状発光装置の背面（後面）の両方において凹凸を小さくすることができる。また、両面に傾斜部６を形成すると、装置を薄型化することができる。
【００６２】
傾斜部６の傾斜角度は、特に限定されるものではないが、面状発光装置全体の表面に平行な面となる角度であってよい。それにより、凹凸をより小さくすることができる。
【００６３】
有機ＥＬ素子Ａに傾斜部６が設けられる場合、傾斜部６として、封止傾斜部６ａ及び基板傾斜部６ｂの一方が形成されたものであってもよい。基板傾斜部６ｂを形成した場合、光取り出し側の面における凹凸を小さくして外観を向上させることができるとともに、照明性能を高めることができる。また、封止傾斜部６ａを形成した場合、装置の背面における凹凸を小さくして、電極端子３に電気配線を接続しやすくしたり、面状発光装置を他の部材に取り付けやすくしたりすることができる。ただし、両面の凹凸を小さくするためには、封止傾斜部６ａ及び基板傾斜部６ｂの両方を形成することがより好ましい。
【００６４】
傾斜部６の形成は、段部５と同様の方法で形成することができる。ここで、段部５と傾斜部６とを、同時に又は連続して形成するようにすれば、効率よく傾斜部６を形成することができる。
【００６５】
図５は、面状発光装置の実施形態の他の一例である。図１の形態と同じ構成については、同じ符号を付して説明を省略する。図５の形態の面状発光装置を構成する有機ＥＬ素子Ａでは、段部５として、上記で示した形態と同様の封止段部５ｂが設けられているが、基板段部５ａが設けられていない点が、図１及び図２の形態とは異なっている。
【００６６】
図５に示すように、本形態においても、段部５（封止段部５ｂ）に、隣り合う有機ＥＬ素子Ａの端部４が重ねられることにより複数の有機ＥＬ素子Ａが配設されて、面状発光装置が構成されている。図５の形態では、透光性基板１の端部４（不透明端部４ａ）の角が封止段部５ｂに嵌まり込んでいる。そして、有機ＥＬ素子Ａの端部４の重なりにより、不透明端部４ａの前方に有機発光体１０を配置することができるため、非発光の領域を小さくすることができる。本形態では、透光性基板１には段部５を設けずに、封止基板２に段部５（封止段部５ｂ）を設ければよいので、図１の形態よりも段部５の形成が容易になる。ただし、図５の形態では、図１の形態のように基板段部５ａを設けていないため、図１の形態よりも凹凸が大きくなるおそれがあり、薄型化のためには、図１の形態の方が有利である。
【００６７】
図６は、面状発光装置の実施形態の他の一例である。図１の形態と同じ構成については、同じ符号を付して説明を省略する。図６の形態の面状発光装置を構成する有機ＥＬ素子Ａでは、段部５として、上記で示した形態と同様の基板段部５ａが設けられているが、封止段部５ｂが設けられていない点が、図１及び図２の形態とは異なっている。
【００６８】
図６に示すように、本形態においても、段部５（基板段部５ａ）に、隣り合う有機ＥＬ素子Ａの端部４が重ねられることにより複数の有機ＥＬ素子Ａが配設されて、面状発光装置が構成されている。図６の形態では、封止基板２の端部４（透明端部４ｂ）の角が基板段部５ａに嵌まり込んでいる。そして、有機ＥＬ素子Ａの端部４の重なりにより、不透明端部４ａの前方に有機発光体１０を配置することができるため、非発光の領域を小さくすることができる。本形態では、封止基板２には段部５を設けずに、透光性基板１に段部５（基板段部５ａ）を設ければよいので、図１の形態よりも段部５の形成が容易になる。ただし、図６の形態では、図１の形態のように封止段部５ｂを設けていないため、図１の形態よりも凹凸が大きくなるおそれがあり、薄型化のためには、図１の形態の方が有利である。
【００６９】
図７（ａ）は、面状発光装置の実施形態の他の一例であり、図７（ｂ）は、図７（ａ）の面状発光装置を構成する有機ＥＬ素子Ａの一例を示している。図１の形態と同じ構成については、同じ符号を付して説明を省略する。
【００７０】
図７（ｂ）に示すように、本形態の有機ＥＬ素子Ａでは、発光領域Ｐの平面視における形状は六角形に形成されている。この六角形は、面状に配設することができる形状であれば、縦長又は横長の六角形形状であってもよいが、有機ＥＬ素子Ａを面状に簡単に配設するためには、線対称性を有することが好ましい。線対称は上下と左右の２方向の線対称であることがより好ましい。発光領域Ｐの六角形形状は、好ましくは、正六角形である。それにより、面状に容易に配設して発光領域Ｐの隙間を小さくすることができる。
【００７１】
図７（ａ）の形態の面状発光装置の断面形状は、図１（ａ）と同様のものであってもよく、有機ＥＬ素子Ａの断面形状は、図２（ａ）と同様のものであってもよい。すなわち、有機ＥＬ素子Ａにおいては、発光領域Ｐの六角形を構成する六つの辺に位置する六つの端部４は、電極端子３が設けられた不透明な不透明端部４ａと、電極端子３が設けられていない透明な透明端部４ｂとを有して構成されている。そして、一以上の端部４に、他の有機ＥＬ素子Ａの端部４を重ねるための段部５が設けられている。この段部５は、不透明端部４ａにおける透光性基板１の素子外部側の面が段状に凹んだ基板段部５ａ、及び、透明端部４ｂにおける封止基板２の素子外部側の面が段状に凹んだ封止段部５ｂにより構成されている。
【００７２】
本形態では、有機ＥＬ素子Ａは六角形に形成されており、この六角形の辺を構成する六つの端部４は、三つの不透明端部４ａと、三つの透明端部４ｂとで構成されている。不透明端部４ａは六角形の隣り合う三辺に配置されており、また、透明端部４ｂは六角形の隣り合う三辺に配置されている。不透明端部４ａ及び透明端部４ｂがこのように配置されることにより、発光領域Ｐの隙間を小さくして複数の有機ＥＬ素子Ａを配設することがより可能になる。
【００７３】
そして、図７（ａ）の形態においては、複数の有機ＥＬ素子Ａを端部４を重ねて配設したときには、図１の形態と同様に、不透明端部４ａの前方に他の有機ＥＬ素子Ａの有機発光体１０を配置させることができるため、発光領域Ｐの隙間を小さくすることができる。そして、発光領域Ｐの離間領域を失くした場合には、一体化した面状の発光を得やすくすることができる。また、基板段部５ａと封止段部５ｂとを重ねて配置することができるため、表面の凹凸を小さくすることができる。また、段部５を利用して有機ＥＬ素子Ａを重ね合わせるため、端部４の重ね合わせが容易になる。
【００７４】
ここで、電極端子３は、発光領域Ｐの多角形の角部を跨いで連続して形成される部分以外の角部Ｃ１（電極端子３の端部）においては、発光領域Ｐの多角形における透明端部４ｂ側に配置される辺を延伸させた直線Ｌ１をはみ出さずに形成されていることが好ましい。これにより、角部Ｃ１において電極端子３が透明端部４ｂ側にはみ出して形成されなくなり、タイリングした際に電極端子３をより面状発光装置の背面（後面）に配置しやすくすることができ、非発光の部分を形成させにくくすることができる。この電極端子３の端部が配置される角部Ｃ１は、透明端部４ｂと不透明端部４ａとの境界部分に配置される角部Ｃ１であってよい。そして、この角部Ｃ１を透明にして透明端部４ｂで構成することが好ましいものである。また、透明端部４ｂと不透明端部４ａとの境界線（電極端子３の外縁）は、発光領域Ｐの多角形における透明端部４ｂ側に配置される辺を延伸させた直線Ｌ１上であることが好ましい。それにより、電極端子３をより大きくすることができ、通電性を高めることができる。
【００７５】
なお、図７の形態においても、図５又は図６の形態のように、段部５として基板段部５ａ及び封止段部５ｂのいずれか一方を設け、この段部５に有機ＥＬ素子Ａを重ねるようにしてもよい。また、図４の形態のように、傾斜部６として封止傾斜部６ａ及び基板傾斜部６ｂの一方又は両方を設けて、表面の凹凸を小さくするようにしてもよい。
【００７６】
面状発光装置に用いる有機ＥＬ素子Ａにおいては、その形状は多角形であればよく、四角形や六角形に限定されるものではない。例えば、三角形、五角形、八角形などの形状や、異種の形状の多角形が混在するものであってもよい。要するに、端部４に設けられた段部５を利用して有機ＥＬ素子Ａの端部４を重ねて、発光領域Ｐの離間距離を小さくできる形状であればよく、適宜の形状により構成することができるものである。
【００７７】
図８は、面状発光装置の実施形態の他の一例である。上記の形態と同じ構成については、同じ符号を付して説明を省略する。
【００７８】
図８の形態の面状発光装置では、略同一形状の複数の第１の有機ＥＬ素子Ａ１が端部４を重ねて配設されている。そして、この面状発光装置の端部に、第１の有機ＥＬ素子Ａ１とは異なる形状の第２の有機ＥＬ素子Ａ２が、第１の有機ＥＬ素子Ａ１に端部４を重ねて配設されている。本形態では、第１の有機ＥＬ素子Ａ１は、六角形形状であり、図７の形態で示した有機ＥＬ素子Ａと同様のものを用いることができる。第２の有機ＥＬ素子Ａ２は、全体の発光面の形状を所望の形状（図８の形態では矩形状）にするために、第１の有機ＥＬ素子Ａ１が配設された外周部に配置される有機ＥＬ素子Ａである。図８に示すように、第２の有機ＥＬ素子Ａ２の形状、及び、その発光領域Ｐの形状は、三角形や四角形や五角形の形状などであってよい。また、第２の有機ＥＬ素子Ａは、複数の種類の形状により構成されるものであってよい。ただし、第１の有機ＥＬ素子Ａに重ねて配設されたときに、発光領域Ｐが離間しないような形状であることが好ましい。
【００７９】
図８の形態においても、有機ＥＬ素子Ａには、端部４を重ねるための段部５が設けられており、段部５で有機ＥＬ素子Ａが重ねられて発光領域Ｐが一体化されるため、隙間のない面状の発光を得ることが可能である。また、段部５が設けられることにより、複数の有機ＥＬ素子Ａを重ね合わせやすくすることができる。
【００８０】
なお、第１の有機ＥＬ素子Ａは、四角形であってもよいし、四角形や六角形以外の他の形状であってももちろんよい。
【００８１】
図８の形態では、第２の有機ＥＬ素子Ａ２を用いることにより、発光面の形状を適宜の形状にすることができ、所望の発光形状を形成することが可能な照明性能の高い面状発光装置を得ることができる。
【００８２】
図９（ａ）は、有機ＥＬ素子Ａの実施形態の他の一例であり、図９（ｂ）及び（ｃ）は、図９（ａ）の有機ＥＬ素子Ａを複数個用いた面状発光装置の実施形態の一例である。上記の形態と同じ構成については、同じ符号を付して説明を省略する。
【００８３】
本形態では、有機ＥＬ素子Ａが、一方向に端部４が重ねられて帯状に配設されている。すなわち、図９（ｂ）に示すように、有機ＥＬ素子Ａは一方向（本図では横方向）に並設されているが、縦方向には設置されていない。
【００８４】
図９（ａ）の有機ＥＬ素子Ａでは、発光領域Ｐの平面視における形状は四角形となっている。この四角形を構成する複数（四つ）の辺に位置する複数（四つ）の端部４は、有機発光層８に電気を供給するための電極端子３が設けられた不透明な不透明端部４ａと、電極端子３が設けられていない透明な透明端部４ｂとを有して構成されている。複数の端部４のうちの一以上の端部４に、他の有機ＥＬ素子Ａの端部を重ねるための段部５が設けられている。
【００８５】
図９（ａ）の形態では、不透明端部４ａは二つ設けられ、透明端部４ｂは二つ設けられている。二つの不透明端部４ａは四角形の対向する辺に配置されている。また、二つの透明端部４ｂは四角形の対向する辺に配置されている。
【００８６】
そして、本形態では、段部５として、一方の透明端部４ｂにおいて封止基板２の素子外部側の面が段状に凹んだ封止段部５ｂが設けられ、他方の透明端部４ｂにおいて透光性基板１の素子外部側の面が段状に凹んだ基板段部５ｃが設けられている。封止段部５ｂと基板段部５ｃとは、四角形の対向する辺にそれぞれ設けられている。すなわち、両側部に配置される透明端部４ｂにおいては、一方の透明端部４ｂに基板段部５ｂが設けられ、他方の透明端部４ｂに基板段部５ｃが設けられている。なお、図２の形態における基板段部５ａとは異なり、基板段部５ｃは、透明端部４ｂに設けられる段部５（透明端部４ｂの基板段部）である。
【００８７】
図９の形態に示す面状発光装置においては、複数の有機ＥＬ素子Ａは、段部５に他の有機ＥＬ素子の端部４が重ねられて配設されている。図９（ｂ）及び（ｃ）に示すように、本形態では、透明端部４ｂの上に透明端部４ｂが重ねられている。このとき、一の有機ＥＬ素子Ａの基板段部５ｃと他の有機ＥＬ素子Ａの封止段部５ｂとが噛み合わされて端部４が重ねられている。そして、有機ＥＬ素子Ａの端部４の重なりにより、発光領域Ｐの隙間が小さくなり、あるいは消失する。このように、有機ＥＬ素子Ａの端部４を重ねるための段部５が設けられていることにより、非発光領域が目立ちにくくなるとともに発光量が大きく、外観に優れ、照明性能が高い面状発光装置を得ることができる。また、段部５を利用して重ね合わせることができるので、容易に端部４を重ねて有機ＥＬ素子Ａを配設して面状発光装置を作製することができる。
【００８８】
本形態では、電極端子３を四角形の両側の辺に配設することができるため、面内に均一な発光を得やすくすることができる。また、帯状に長い発光面を形成することができるため、線状の発光を得たい場合に有利である。なお、本形態の変形例として、不透明端部４ａを一つの辺に設け、透明端部４ｂを三つの辺に設けるようにしてももちろんよい。
【００８９】
本形態のように、透明端部４ｂにおいて、透光性基板１の素子外部側の面（封止基板２とは反対側の面）を段状に凹ませて、基板段部５ｃを設けることも好ましい形態の一つである。それにより、透明端部４ｂ同士を重ねて有機ＥＬ素子Ａを配設した際に、透明端部４ｂの近傍に配置された隣り合う発光領域Ｐの外縁を近づけることができ、発光領域Ｐの離間領域を小さくすることができる。
【００９０】
透明端部４ｂに段部５を設けて重ね合わせる形態（透明端部４ｂの基板段部５ｃを設ける形態）は、図１及び図２のように、うろこ状の配設される形態に適用してもよい。例えば、図１及び図２の形態において、不透明端部４ａを一つにするとともに、透明端部４ｂを三つにした場合には、少なくとも一つの透明端部４ｂにおいて、図９の形態に示すような透明端部４ｂの基板段部５ｃを設けるようにすれば、うろこ状に有機ＥＬ素子Ａを配設しやすくすることができる。
【符号の説明】
【００９１】
１      透光性基板
２      封止基板
３      電極端子
４      端部
４ａ    不透明端部
４ｂ    透明端部
５      段部
５ａ    基板段部
５ｂ    封止段部
５ｃ    基板段部
６      傾斜部
６ａ    封止傾斜部
６ｂ    基板傾斜部
７      第１電極
８      有機発光層
９      第２電極
１０    有機発光体
１１    封止間隙
Ａ      有機エレクトロルミネッセンス素子
Ｐ      発光領域
【図１】
2014017204.tif 000003
【図２】
2014017204.tif 000004
【図３】
2014017204.tif 000005
【図４】
2014017204.tif 000006
【図５】
2014017204.tif 000007
【図６】
2014017204.tif 000008
【図７】
2014017204.tif 000009
【図８】
2014017204.tif 000010
【図９】
2014017204.tif 000011
【図１０】
2014017204.tif 000012
【図１１】
2014017204.tif 000013